(57)【要約】      （修正有）【課題】草花等の植物の生育時に植木鉢やプランター等の栽培容器に立てる園芸支柱を安定した状態で使用できるようにした園芸支柱の転倒防止具を提供する。【解決手段】左右伸延脚片３，４が挿通部２に挿入されていて、園芸支柱Ｂを上方から挿通穴１に挿入し、次に前記左右伸延脚片３，４をネジ６で前記園芸支柱Ｂと該左右伸延脚片３，４を押圧した転倒防止具ＡをプランターＰの内側面Ｐ１の所定位置に配置する。固定方法は該左右伸延脚片３，４の端部をプランター内側面Ｐ１に弾圧させてプランターＰに所定量の土壌ｓを投入するが上述転倒防止具Ａは土壌ｓの中に隠れて見えない。園芸支柱Ｂの位置を確認してまだ若い植物Ｄを植える、そしてこの状態で植物Ｄを園芸支柱Ｂに紐で縛って安定させる。【選択図】図４
0003177931.tif 000002
【実用新案登録請求の範囲】
【請求項１】
園芸支柱を挿通して保持する挿通部と、この挿通部の両側部であって、而も水平方向に互いにスライド自在に装備された左右伸延脚片と、更に前記挿通部に進退自在に設けられると共に、前記左右伸延脚片を所定位置にて園芸支柱に押圧するネジとで成したことを特徴とする園芸支柱の転倒防止具。
【請求項２】
前記左右伸延脚片は、該左右伸延脚片をスライドさせてその端部を植木鉢、プランター等の栽培容器の内側面に弾圧させたことを特徴とする請求項１記載の園芸支柱の転倒防止具。
【考案の詳細な説明】
【技術分野】
【０００１】
本考案は、植木鉢やプランターで野菜、果樹、草花等の植物の生育時に植木鉢やプランター等の栽培容器に立てる園芸支柱を安定した状態で使用できるようにした園芸支柱の転倒防止具（以下、単に「転倒防止具」と言う。）に関するものである。
【背景技術】
【０００２】
従来、野菜、果樹、草花等の植物であり特につる性植物や茎の不安定な植物にあっては、該植物の成長と共に該植物を支えるために上述植木鉢等の栽培容器内の植物の近くに、園芸支柱を立てるようにしている。
【０００３】
支柱支持具に関して、鉢植え植物の支柱を用いた園芸具が考案されている。
【先行技術文献】
【特許文献】
【０００４】
【特許文献１】実用新案登録3083823号
【考案の概要】
【考案が解決しようとする課題】
【０００５】
しかしながら、植物を生育させる植木鉢やプランター等の栽培容器はその底が比較的浅くその中に土壌を沢山入れられないようになっている。このため園芸支柱の土壌に差し込まれた部位が土壌によりしっかりと固定できずにふらつきやすくともすると転倒して本来の機能を果たすことができないという課題があった。
【０００６】
そこで、本考案は、上記課題に鑑みてなされたもので、園芸支柱が容易に転倒せず長く使用しても安定した状態で立てられるようにした転倒防止具を提供することを目的とするものである。
【課題を解決するための手段】
【０００７】
かかる目的を達成するため本考案の転倒防止具は、園芸支柱を挿通して保持する挿通部と、該挿通部の両側部であって、而も水平方向に互いにスライド自在に装備された左右伸延脚片と、更に該挿通部に進退自在に設けられると共に、前記左右伸延脚片を所定位置にて園芸支柱に押圧するねじとで成したことを特徴とするものである。
更に本考案は、前記左右伸延脚片をスライドさせてその端部を植木鉢、プランター等の栽培容器の内側面に弾圧させたことを特徴とするものである。
【考案の効果】
【０００８】
本考案は、上述の通り構成されているので、次に記載される効果を奏する。 
【０００９】
（１）請求項１により、転倒防止具は、園芸支柱を挿通して保持する挿通部と、この前記挿通部の両側部であって、而も水平方向に互いにスライド自在に装備された左右伸延脚片と、更に前記挿通部に進退自在に設けられるとともに、前記左右伸延脚片を所定位置にて前記園芸支柱に押圧するねじで固定するようにしたことで容易に而もしっかりと前記園芸支柱と前記左右伸延脚片が固定されるようにした。
（２）請求項２により、転倒防止具は、上述左右伸延脚片の該左右伸延脚片をスライドさせてその端部を植木鉢、プランター等の栽培容器の内側面に弾圧させたことで長い間安定した状態でしっかりと保持されほとんど転倒することがない、又、植物が生育を終え園芸支柱と共に該転倒防止具を撤去するには該転倒防止具を上へ引けば土壌から抜け簡単に取ることができ作業性もよい。
【図面の簡単な説明】
【００１０】
【図１】転倒防止具の要部斜視図である。
【図２】挿通部部分図とネジ図
【図３】左右伸延脚片図
【図４】プランターで植物を育成している状態を示す斜視図
【図５】他の実施の形態で植物を育成している状態を示す断面斜視図
【考案を実施するための形態】
【００１１】
以下、本考案に係る転倒防止具の実施の形態を図面に基づいて詳しく説明すると、図１は転倒防止具の要部斜視図であって、転倒防止具本体Aは、園芸支柱Bを挿通して保持する挿通部２と、該挿通部２及び左右伸延脚片３，４とで成している。
【００１２】
具体的には、園芸支柱Bを挿通して保持する前記挿通部２と該挿通部２の両側部であって、而も水平方向に互いにスライド自在に装備された前記左右伸延脚片３，４と更に前記挿通部２に進退自在に設けられると共に該左右伸延脚片３，４を所定位置にて園芸支柱Bにネジ６で押圧され且つ前記左右伸延脚片３，４は、該左右伸延脚片３，４の端部を植木鉢、プランター等の栽培容器の内側面に弾圧させる。
【００１３】
図２は、挿通部部分図とネジ図であって、挿通部にメネジ7が形成され、取っ手５のついたネジ６が進退自在に設けられている。
【００１４】
図３は、左右伸延脚片図であって、前記左右伸延脚片３，４の一端の先端にガイド枠３b、４bを形成する、ガイド枠３bに該左右伸延脚片４のガイド枠４bのついていない先端を挿入、ガイド枠４bに該左右伸延脚片３のガイド枠３bのついていない先端を挿入、互いに脱落しないでかつスライド自在の前記左右伸延脚片３，４を形成する。
【００１５】
転倒防止具Aに挿通して使用される園芸支柱Bは、合成樹脂製であって外径がほぼ１cm程度の太さを有し、空洞状に形成され、その長さは適宜長さに設定されている、例えば、90cm、1.2m、等といったように複数種類の園芸支柱が取り揃えられる。
【００１６】
本考案の転倒防止具Aは上記構成からなり、次にその使用方法を説明する。図４は、プランターPで植物を育成している状態を示す斜視図である。左右伸延脚片３，４が挿通部２に挿入されていて、園芸支柱Bを上方から挿通穴1に挿入し、次に前記左右伸延脚片３，４をネジ6で前記園芸支柱Bと該左右伸延脚片３，４を押圧した転倒防止具AをプランターPの内側面P1の所定位置に配置する。所定位置は植物Dを植える近くであって、しかも、該左右伸延脚片３，４に該植物Dが当たらないような位置になるように前記園芸支柱Bの位置を考慮する。
【００１７】
固定方法は該左右伸延脚片３，４の端部をプランター内側面P1に弾圧させてプランターPに所定量の土壌sを投入するが上述転倒防止具Aは土壌sの中に隠れて見えない。園芸支柱Bの位置を確認してまだ若い植物Dを植える、そしてこの状態で植物Dを園芸支柱Bに紐（図示せず。）で縛って安定させる。長い間安定的に支持され、ほとんど転倒することがない。
【００１８】
また、植物Dが生育を終え園芸支柱Bと共に転倒防止具Aを撤去するには、該転倒防止具Aをそのまま上方へ引けば土壌sから抜け、簡単に取ることができ作業性も良い。
【００１９】
図５は、他の実施の形態で植物を育成している状態を示す断面斜視図である。
該他の実施の形態に係る転倒防止具C1は植木鉢uに装備された実施例である。左右伸延脚片１３，１４が挿通部C1に挿入されていて、園芸支柱Bを上方から挿通穴１1に挿入し、次に前記左右伸延脚片１３，１４をネジ１５で園芸支柱Bと該左右伸延脚片１３，１４を押圧した転倒防止具C1を植木鉢uの内側面u１の所定位置に配置する、所定位置は植物Dを植える近くであって、しかも、該左右伸延脚片１３，１４に該植物Dが当たらないような位置になるように前記園芸支柱Bの位置を考慮する、固定方法は該左右伸延脚片１３，１４の端部を植木鉢内側面u１に弾圧させて植木鉢uに所定量の土壌sを投入するが上述転倒防止具C1は土壌sの中に隠れて見えない。園芸支柱Bの位置を確認してまだ若い植物Dを植える、そしてこの状態で植物Dを園芸支柱Bに紐（図示せず。）で縛って安定させる。長い間安定的に支持され、ほとんど転倒することがない。
【００２０】
また、植物Dが生育を終え園芸支柱用Bと共に転倒防止具C1を撤去するには、該転倒防止具C1をそのまま上方へ引けば土壌から抜け、簡単に取ることができ作業性も良い。
【符号の説明】
【００２１】
D   植物
P   プランター
A   転倒防止具本体
B   園芸支柱
S   土壌
u   植木鉢
1   挿通穴
2   挿通部
3   左伸延脚片
4   右伸延脚片
5   取っ手
6   ネジ
7   メネジ
【図１】
0003177931.tif 000003
【図２】
0003177931.tif 000004
【図３】
0003177931.tif 000005
【図４】
0003177931.tif 000006
【図５】
0003177931.tif 000007